(57)【要約】    【構成】  間接排水用器具１０は、封水部２６を有する排水受け１６および排水受け１６の上端開口に装着される目皿１８を有する。目皿１８の上面３４は多数の細孔３４ａを有し、上面３４から排水受け１６の上端までの高さは排水口空間に設定される。    【効果】  上端まで排水受け１６を埋設し、上面３４に配管１２の先端１２ａを当接するだけで、排水受け１６の上端、つまり地表面４０と配管１２の先端１２ａとの間に排水口空間が必ず設けられるため、施工性に優れ、かつ間接排水用器具１０の信頼性が向上する。【選択図】  図２
2007182749.tif 000002
【特許請求の範囲】
【請求項１】
間接排水すべき機器または装置の排水口からの排水を排水管へ間接排水するための間接排水用器具において、
前記排水の流入口および流出口を含み、前記流出口に前記排水管が接続される間接排水用排水受けを備え、
前記排水口と前記流入口との間に必要な排水口空間を確保する手段を設けることを特徴とする、間接排水用器具。
【請求項２】
前記確保手段は、前記排水口が前記排水口空間以下に下がるのを阻止する阻止手段である、請求項１記載の間接排水用器具。
【請求項３】
前記流入口に装着される異物浸入防止部、および
前記流入口から前記排水口空間を確保する高さに設けられ、前記排水口を支持する支持部を備える、請求項１または２記載の間接排水用器具。
【発明の詳細な説明】
【技術分野】
【０００１】
この発明は、間接排水用器具に関し、特にたとえば、間接排水すべき機器または装置の排水口からの排水を排水管へ間接排水するための、間接排水用器具に関する。
【背景技術】
【０００２】
従来の間接排水用器具の一例が、非特許文献１に開示されている。この非特許文献１および２の間接排水用器具では、トラップの上端に円盤状の目皿が装着されている。
【非特許文献１】「住まいと電化」別冊号  電化住宅のための電気給湯器マニュアル２００５―計画・設計・施工―、Ｐ８８  第１２図、日本工業出版株式会社  発行、「電気給湯機マニュアル」編集委員会  編集、第７版  平成１７年３月２０日  発行
【非特許文献２】空気調和・衛生工学会規格  ＨＡＳＳ２０６−２０００  給排水衛生設備基準・同解説、Ｐ１０９  解説図１６−３１  間接排水管の配管方法および管末端の開口方法、社団法人  空気調和・衛生工学会  編集・著作権者、社団法人  空気調和・衛生工学会  発行所、２０００年３月３１日  発行
【発明の開示】
【発明が解決しようとする課題】
【０００３】
非特許文献１および２の従来技術では、間接排水用器具を設置する際に排水口とトラップの上端との間に排水口空間の寸法を測定しなければならず、手間がかかる。このため、実際の施工では、必要な排水口空間が確保された間接排水用器具を用いても、正確な寸法測定をせず、目視によるチェックのみによって、この間接排水用器具を設置している場合がある。このような場合、必要な排水口空間の確保は作業者の技量に依存する。
【０００４】
それゆえに、この発明の主たる目的は、作業者の技量に依らず必要な排水口空間を必ず確保することができ、間接排水用器具の設置の作業性向上につながる、間接排水用器具を提供することである。
【課題を解決するための手段】
【０００５】
請求項１の発明は、間接排水すべき機器または装置の排水口からの排水を排水管へ間接排水するための間接排水用器具において、排水の流入口および流出口を含み、流出口に排水管が接続される間接排水用排水受けを備え、排水口と流入口との間に必要な排水口空間を確保する手段を設けることを特徴とする、間接排水用器具である。
【０００６】
請求項１の発明では、間接排水用器具は間接排水用排水受けを備え、間接排水用排水受けは排水の流入口および流出口を含み、この流出口には排水管が接続される。
【０００７】
間接排水すべき機器または装置のそばに間接排水用器具を設置すると、たとえば目皿や支柱などの支持部によって排水口と流入口との間に必要な排水口空間が確保される。このため、目皿や支柱などの支持部の上に排水口を配置するだけで、排水口の下方に排水口空間が設けられる。
【０００８】
請求項２の発明は、確保手段は、排水口が排水口空間以下に下がるのを阻止する阻止手段である、請求項１記載の間接排水用器具である。
【０００９】
請求項２の発明では、目皿や支柱などの支持部の上に排水口を配置すると、阻止手段により排水口が排水口空間以下に下がらないため、排水口の下方に排水口空間が必ず設けられる。
【００１０】
請求項３の発明は、流入口に装着される異物浸入防止部、および流入口から排水口空間を確保する高さに設けられ、排水口を支持する支持部を備える、請求項１または２記載の間接排水用器具である。
【００１１】
請求項３の発明では、間接排水用器具は間接排水用排水受け、異物浸入防止部、および支持部を備える。この間接排水用排水受けの流入口に異物浸入防止部が装着され、間接排水用排水受けの流入口から排水口空間を確保する高さに支持部が設けられる。
【００１２】
支持部の上に排水口を配置すると、支持部により排水口が支持されて、流入口から排水口空間を確保する高さに排水口が配置されることにより、排水口の下に排水口空間が必ず確保される。
【００１３】
これにより、排水管から排水や排水管中の空気などが逆流しても、排水や排水管中の空気などは排水口空間から外へ流出し、排水口へ侵入しない。このため、排水口に繋がる機器や装置の貯留タンク内の水質汚染などが防がれる。
【発明の効果】
【００１４】
この発明によれば、間接排水用器具に排水口空間を確保する手段を設けることにより、作業者の技量に依らず必要な排水口空間は必ず確保され、しかも作業性に優れる。
【００１５】
この発明の上述の目的，その他の目的，特徴および利点は、図面を参照して行う以下の実施例の詳細な説明から一層明らかとなろう。
【発明を実施するための最良の形態】
【００１６】
図１に示すこの発明の一実施例である間接排水用器具１０は、間接排水すべき機器または装置の排水口が排水口空間以下に下がるのを阻止する阻止手段で必要な排水口空間を確保することにより、排水口からの排水を間接排水するためのものである。そして、間接排水用器具１０は、間接排水用排水受け（以下、排水受けと言う。）１６およびその上方に装着される目皿１８を備え、たとえば図２に示すように、排水口である配管１２の先端１２ａからの排水を受けて、ごみなどの異物が侵入するのを防止しながら排水を排水管１４に排出する。
【００１７】
図１〜図２に示すように、排水受け１６は、排水口からの排水を受けて排水管１４に排出する有底円筒形状の逆わんトラップなどであって、間接排水用器具１０の下部に配置される。排水受け１６は、耐熱性塩化ビニル樹脂または耐熱ＡＢＳ樹脂（アクリロニトリル・ブタジエンゴム・スチレン）など耐熱性を有する樹脂、あるいは鋳鉄で形成される。たとえば、排水受け１６の高さＨ１は１２５ｍｍに、排水受け１６の外径Ｄ１は１３０ｍｍに設定される。排水受け１６の上端は開口し、この上端開口は排水口からの排水が排水受け１６に流入する流入口であって、たとえば上端開口２０の内径Ｄ２は１１３ｍｍに設定される。排水受け１６の上端部の内面に螺旋状の溝が切られ、第１ねじ部２２が形成される。
【００１８】
排水受け１６の側面に貫通孔２４が設けられ、たとえば貫通孔２４の内径Ｄ３は５０ｍｍに、その中心と排水受け１６の下端との間の高さＨ２は７７ｍｍに設定される。このため、貫通孔２４は排水受け１６の上部に配置され、排水受け１６の内部において貫通孔２４より下は封水部２６として利用される。そして、貫通孔２４の上端に仕切板２８が設けられる。仕切板２８は、板状体であって、貫通孔２４から排水受け１６の内側に向かうに伴い下方へ延び、その先端は貫通孔２４の下端と排水受け１６の下端との間に配置される。
【００１９】
また、貫通孔２４から立ち上がって受口が形成され、この受口は接続口３０として用いられる。接続口３０は排水管１４に接続される部分であって、排水受け１６内の排水が排水管１４へ流出する場合は排水の流出口となり、接続口３０に接続された排水管１４は配管１２の先端１２ａからの排水を排出する管である。
【００２０】
排水受け１６の上端開口２０に目皿１８が装着される。目皿１８は、ＳＡＳ樹脂（シリコン系複合ゴム−アクリロニトリル−スチレン）、耐熱性塩化ビニル樹脂または耐熱ＡＢＳなど耐熱性を有する合成樹脂、あるいはＳＵＳなどの金属で形成され、円筒形状の側面３２および側面３２の上端に取り付けられる上面３４を有し、間接排水用器具１０の上部に配置される。
【００２１】
上面３４は、網の目状に形成され、多くの細孔３４ａを含む。また、側面３２も上面３４と同様に、網の目状に形成され、上面３４の細孔３４ａと同じまたはほぼ同じ大きさの細孔３２ａを含む。この細孔３２ａ、３４ａにより、上面３４および側面３２を有する目皿１８は、排水受け１６などに砂利、小石、虫、ごみなどの異物が侵入するのを防ぐ異物侵入防止部として用いられる。
【００２２】
側面３２の下端部は細孔３２ａが形成されず、その内面に第１ねじ部２２と螺合する第２ねじ部３６が形成される。また、側面３２の外径Ｄ５は排水受け１６の上端開口２０の内径Ｄ２と等しいまたはそれより小さく設定される。このため、側面３２の下端部を排水受け１６の上端開口２０に挿入し、第２ねじ部３６を第１ねじ部２２に螺合すると、目皿１８は排水受け１６の上端に固定的に装着される。
【００２３】
この装着した状態において、排水受け１６の上端から目皿１８の上端までの高さＨ３は、排水口空間、つまり配管１２の実内径Ｄ４の少なくとも２倍に設定される。たとえば、配管１２の実内径Ｄ４が２５ｍｍ以下では、目皿１８の高さＨ３は５０ｍｍに設定される。すなわち、目皿１８の上端である上面３４は、排水受け１６の上端から排水口空間を確保する高さに設けられ、支持部として用いられる。このため、排水口を支持部上に配置すると、支持部は、排水口を支持し、排水受け１６の上端である流入口と排水口との間に必要な排水口空間を確保する。
【００２４】
この間接排水用器具１０を用いる場合、屋外に配置される温水器３８など間接排水すべき機器または装置のそばに排水受け１６を埋設する。このとき、排水受け１６の上端が地表面に位置するように排水受け１６を地中に埋め、地中に埋設される排水管１４を接続口３０に接続する。これにより、地表面４０の上に目皿１８が現れる。
【００２５】
なお、間接排水すべき機器または装置は、汚染を防止する必要があるものであって、たとえば、前記非特許文献２の表６−３（Ｐ１０７）に挙げられる間接排水とする機器・装置などが挙げられる。
【００２６】
そして、温水器３８などに繋がる配管１２の先端１２ａを目皿１８の上面３４に当接すると、目皿１８の上面３４により配管１２の先端１２ａは支持されて排水口空間以下に下がることが阻止されるため、配管１２の先端１２ａと地表面４０、つまり排水受け１６の上端との間に排水口空間が設けられる。このとき、目皿１８の上面３４が配管１２の先端１２ａの低下を阻止する阻止手段として働くことにより、目皿１８は間接排水用器具１０の上部に必要な排水口空間を確保する手段として利用される。
【００２７】
施工後、配管１２から排水が流れると、排水は、目皿１８の上面３４の細孔３４ａを通過し、排水受け１６に流入して、排水受け１６の封水部２６に溜まる。そして、仕切板２８の先端が封水に漬かると、封水および仕切板２８により排水受け１６は上端開口２０側と接続口３０側とに仕切られるため、通常、排水管１４内の空気は排水受け１６の上端開口２０側へ漏れ出さない。そして、排水が排水受け１６内にさらに流入すると、排水は封水部２６の上端、つまり貫通孔２４の下端からオーバーフローして排水管１４へと流れる。
【００２８】
また、排水が排水管１４から逆流した場合、排水およびそれに含まれる排水管１４内の空気などは排水受け１６の上端開口２０から排水口空間を通って、外へ流出し、配管１２へ侵入しない。このため、配管１２に繋がる温水器３８などの貯水タンク内が排水などにより汚染されない。
【００２９】
このように、間接排水用器具１０を設置するだけで、目皿１８により配管１２の先端１２ａと排水受け１６の上端との間に必要な排水口空間が確保されるため、作業者の技量によって排水受け１６の上端の上に排水口空間が設ける必要がなく、作業性向上にもつながり、しかも排水口空間が確実に確保される。
【００３０】
また、排水受け１６の上端開口２０は目皿１８により覆われるため、砂利、小石、虫、ごみなどの異物が上端開口２０から排水管１４へ入ることが防がれる。
【００３１】
さらに、目皿１８と排水受け１６とをねじ部２２、３６により固定的に装着することにより、風などが吹いても目皿１８は排水受け１６から外れないため、目皿１８は、砂利、小石、虫、ごみなどの異物の排水受け１６への侵入防止機能を維持し続けることができる。一方、ねじ部２２、３６をゆるめて目皿１８を排水受け１６から外せば、破損した目皿１８の交換など、間接排水用器具１０または排水管１４の維持管理を行うことができる。
【００３２】
なお、図２では間接排水用器具１０を屋外に配置される機器に用いたが、屋内に配置される機器にも用いることができる。
【００３３】
また、図２では間接排水用器具１０を地中に埋設したが、間接排水用器具１０を間接排水とすべき機器または装置などのそばの地表面４０上に配置することもできる。
【００３４】
さらに、目皿１８および排水受け１６にねじ部２２、３６を形成し、これらを螺合することにより目皿１８を排水受け１６に固定したが、目皿１８および排水受け１６にねじ部を形成せずに、嵌め込み式など別の方法により目皿１８を排水受け１６に固定することもできる。
【００３５】
また、図２では、間接排水すべき機器または装置などに繋がる配管１２の先端１２ａを排水口として用いたが、これに限定されず、たとえば、間接排水すべき機器または装置自体の排水部分を排水口として用いることもできる。
【００３６】
図４に示すこの発明の他の実施例である間接排水用器具１０は図１に示す間接排水用器具１０とほぼ同じであるが、目皿１８の上面３４の形状が異なる。これ以外の部分に関しては図１実施例の示す間接排水用器具１０と同様であるため、共通する部分については同じ番号を付して、その番号の説明は省略する。
【００３７】
図３および図４に示すように、目皿１８の上面３４は円板形状に形成され、上面３４の中心に貫通孔４２が設けられる。差込部４４は貫通孔４２の縁から上方へ立ち上がる短管で形成され、差込部４４の外径Ｄ６は配管１２の内径Ｄ４と同じまたはそれより小さく設定される。また、排水受け１６の上端から目皿１８の上端までの高さＨ４は、排水口空間に設定される。
【００３８】
このため、配管１２の先端１２ａが目皿１８の上面３４に当接するまで配管１２を差込部４４に差し込むと、目皿１８の上面３４が配管１２の先端１２ａを支持してその低下を阻止する阻止手段として働くことにより、配管１２の先端１２ａと排水受け１６の上端との間に排水口空間が設けられる。よって、目皿１８は間接排水用器具１０の上部に必要な排水口空間を確保する手段として利用される。
【００３９】
また、配管１２の先端１２ａは排水受け１６の中心に配置され、かつ配管１２の先端１２ａは貫通孔４２と繋がる。このため、配管１２の先端１２ａから排出された排水は、目皿１８の上面３４などで跳ね返ることなく、貫通孔４２を通過して排水受け１６内に流入する。また、配管１２の先端１２ａが目皿１８の中心からずれることがないため、排水の飛散が防止される。
【００４０】
さらに、配管１２を差込部４４に差し込めば、排水受け１６の上端開口２０は上面３４および側面３２で覆われるため、これらを有する目皿１８は異物侵入防止部として作用し、排水受け１６などへの異物の侵入が防がれる。
【００４１】
なお、図４では配管１２を差込部４４の外側に嵌めたが、図５に示すように、配管１２を差込部４６の内側に嵌めることもできる。この場合、目皿１８の中心に貫通孔４２が設けられ、貫通孔４２の縁から下方へ延びて、短管状の差込部４６の側面４６ａが形成される。そして、短管状の側面４６ａの先端が内側へ縮径し、リング状の当接面４６ｂが形成される。側面４６ａの内径Ｄ７は配管１２の外径Ｄ８と同じまたはそれより大きく設定され、当接面４６ｂの幅Ｗ１は配管１２の管壁の肉厚Ｔと同じまたはそれより小さく設定される。また、目皿１８を排水受け１６に装着した状態で当接面４６ｂと排水受け１６の上端との間の高さＨ５は排水口空間に設定され、当接面４６ｂが支持部として用いられる。
【００４２】
このため、配管１２の先端１２ａが当接面４６ｂに接するまで配管１２を差込部４６の側面４６ａ内に挿入すると、当接面４６ｂが配管１２の先端１２ａを支持しその低下を阻止する阻止手段として働いて、配管１２の先端１２ａと排水受け１６の上端との間に排水口空間が形成される。つまり、目皿１８は間接排水用器具１０の上部に必要な排水口空間を確保する手段として利用される。また、配管１２の先端１２ａは目皿１８の中心に配置され、かつ配管１２の先端１２ａは貫通孔４２と繋がるため、排水の飛散が防止される。
【００４３】
また、図４では目皿１８の上面３４に設けた差込部４４より配管１２の先端１２ａを目皿１８の中心に配置したが、図６および図７に示すように、目皿１８の上面４８の形状により配管１２の先端１２ａを目皿１８の中心に配置することができる。すなわち、目皿１８の上面４８にその外側から中心に向かって下り勾配を付けることにより、上面４８を円
錐状に形成する。このため、目皿１８の上面４８の断面は円形状に形成され、その円形状断面の直径Ｗ２は上面４８の中心に向かうに伴い小さくなり、円形状断面の直径Ｗ２が配管１２の外径Ｄ８に等しくなる位置が上面４８にある。この位置と排水受け１６の上端との間の高さＨ６は排水口空間に設定され、上面４８が支持部として用いられる。また、上面４８および側面３２で排水受け１６の上端開口２０が覆われ、目皿１８は異物侵入防止部として作用する。
【００４４】
この目皿１８の上面４８に配管１２の先端１２ａを降ろすと、円形状断面の直径Ｗ２が配管１２の外径に等しくなる位置で配管１２の先端１２ａは目皿１８の上面４８に当接し、目皿１８は配管１２の先端１２ａの低下を阻止する阻止手段として働く。これにより、配管１２の先端１２ａと排水受け１６の上端との間に排水口空間が形成されるため、目皿１８は間接排水用器具１０の上部に必要な排水口空間を確保する手段として利用される。また、配管１２の先端１２ａが目皿１８の中心に配置される。
【００４５】
図８に示すこの発明の他の実施例である間接排水用器具１０は、排水受け１６およびその上方に装着される目皿５０を備える。なお、図１実施例の示す間接排水用器具１０と同様であるため、共通する部分については同じ番号を付して、その番号の説明は省略する。
【００４６】
目皿５０は、ＳＡＳ樹脂、耐熱性塩化ビニル樹脂または耐熱ＡＢＳ樹脂など耐熱性を有する合成樹脂、あるいはＳＵＳなどの金属で形成され、ガイド部５２およびガイド部５２の下端に設けられる下面５４を有する。
【００４７】
ガイド部５２は支柱５６および差込部５８を有し、支柱５６は下面５４の縁から上方に立ち上る縦柱部、およびその上端から中心に向かって延びる横柱部を含む。横柱部は下面５４に平行に設けられ、横柱部に差込部５８が取り付けられる。差込部５８は、円形状の支持部５８ａと支持部５８ａに掛け渡される当接部５８ｂとを含み、支持部５８ａの内径Ｄ９は配管１２の外径Ｄ８と同じまたはそれより大きく設定される。
【００４８】
下面５４は、網の目状に形成され、多くの細孔５４ａを含む。下面５４の縁から下方に延びる円筒形状の下端部が設けられ、下端部の外面に第１ねじ部２２と螺合する第２ねじ部３６が形成される。
【００４９】
下端部を排水受け１６の上端開口２０に挿入し、第２ねじ部３６を第１ねじ部２２に螺合すると、目皿５０の下面５４は排水受け１６の上端と同じ高さに位置し、目皿５０は排水受け１６の上端に固定的に装着される。この装着した状態において、排水受け１６の上端から差込部５８の当接部５８ｂまでの高さＨ７は、排水口空間、つまり配管１２の実内径Ｄ４の少なくとも２倍に設定され、当接部５８ｂは支持部として用いられる。また、下面５４は、排水受け１６の上端開口２０を覆い、異物浸入防止部として用いられる。
【００５０】
この間接排水用器具１０によれば、配管１２を差込部５８に挿入すると、配管１２の先端１２ａは当接部５８ｂに当接し、排水口空間以下に下がることが阻止されて、配管１２の先端１２ａと排水受け１６の上端との間に排水口空間が設けられる。
【００５１】
このように、目皿５０の当接部５８ｂが配管１２の先端１２ａの低下を阻止する阻止手段として働き、目皿５０は間接排水用器具１０の上部に必要な排水口空間を確保する手段として利用される。これにより、間接排水用器具１０を設置し、配管１２の先端１２ａを差込部５８に挿入するだけで、目皿５０により配管１２の先端１２ａと排水受け１６の上端との間に必要な排水口空間が確保されるため、施工性に優れ、しかも排水口空間が確実に確保される。
【００５２】
なお、図１０に示すように、下面５４と当接部５８ｂとの間に側面３２を設けることもできる。
【００５３】
また、図８では差込部５８により配管１２の先端１２ａの低下を阻止したが、図１１お
よび図１２に示すように、目皿６０の下面６２の形状により配管１２の先端１２ａの低下を阻止することができる。この場合、目皿６０に側面３２を設ける。また、目皿６０の下面６２にその外側から中心に向かって上り勾配を付けて、下面６２を円錐状に形成する。このため、目皿６０の下面６２の断面は円形状に形成され、その円形状断面の直径Ｗ３は下面６２の中心に向かうに伴い小さくなり、円形状断面の直径Ｗ３が配管１２の内径Ｄ４に等しくなる位置が下面６２になる。この位置と排水受け１６の上端との間の高さＨ８は排水口空間に設定され、下面６２は支持部として用いられる。また、下面６２は、排水受け２０を覆い、異物浸入防止部として作用する。
【００５４】
このため、配管１２の先端１２ａを目皿６０の下面６２に降ろすと、配管１２の先端１２ａに目皿６０の中心が挿入され、円形状断面の直径Ｗ３が配管１２の内径に等しくなる位置で配管１２の先端１２ａは目皿６０の下面６２に当接する。これにより、目皿６０は配管１２の先端１２ａを支持しその低下を阻止する阻止手段として働き、配管１２の先端１２ａと排水受け１６の下端との間に排水口空間が形成されるため、目皿６０は間接排水用器具１０の上部に必要な排水口空間を確保する手段として利用される。また、配管１２の先端１２ａが目皿６０の中心に配置される。
【００５５】
なお、上記全ての実施例で排水受け１６に逆わんトラップを用いたが、排水受けに図１３に示すＳトラップ６４や図１４に示すＰトラップ６６など別の種類のトラップを用いることもできる。図１３および図１４には図１の間接排水用器具１０に用いられる目皿１８を用いたが、他の間接排水用器具１０に用いられる目皿５０、６０でも同様である。
【００５６】
また、図１、図３、図５、図６、図１０、図１１、図１３および図１４の実施例では、側面３２の細孔３２ａの大きさを目皿１８の上面３４、４８または下面５４、６２の細孔と同じまたはほぼ同じ大きさに揃えて形成したが、側面３２の細孔３２ａの大きさを上面３４、４８または下面５４、６２の細孔の大きさより小さく形成したり、側面３２の下部の細孔の大きさを側面３２の上部の細孔の大きさより小さく形成したりすることもできる。たとえば、図１５に示すように、側面３２の細孔３２ａの大きさを上面３４の細孔３４ａの大きさより小さく形成する、または、図１６に示すように、側面３２の下部の細孔３２ｂの大きさを側面３２の上部の細孔３２ｃの大きさより小さく形成する。これにより、配管１２から流入した排水が目皿１８の中で広がったり、排水受け１６に流入した排水が目皿１８側へ跳ねたりしても、側面３２の細孔３２ａから外へ流出しにくくなる。
【００５７】
さらに、図１、図３、図５、図６、図１０、図１１、図１３および図１４の実施例では、目皿１８の側面３２の全体に細孔３２ａを設けたが、側面３２の一部に細孔３２ａを設けなくてもよい。たとえば、図１７に示すように、細孔３２ａを設けない部分６８を側面３２に形成すると、排水が側面３２の細孔３２ａから外へ流出しにくくなる。
【００５８】
なお、上記全ての実施例では、間接排水用器具１０は、排水口である配管１２の先端１２ａからの排水を受けて排水管１４に排出したが、間接排水用器具１０は、排水口からの排水だけでなく、これとは別の管からの排水なども同時に受けて排水管１４などに排出することができる。ここで、配管１２としては、間接排水を必要とする配管であって、温水器３８などのタンク内の水を全て一度に排出するための排水管などが用いられる。また、別の管としては、温水器３８などの内部において排水の逆流防止のための離隔を設けて配管されていることにより間接排水を必要としない排水管、あるいは、配管１２と同様に間接排水を必要とする排水管などが用いられる。この間接排水を必要としない排水管には、温水器３８などのタンクからオーバーフローする排水を少しずつ流すためのドレン管などが挙げられる。
【００５９】
たとえば、図１８に示すように、図１の目皿１８を排水受け１６の上端開口２０に装着した間接排水用器具１０を用いる場合、配管１２の先端１２ａを目皿１８の上面３４に当接するとともに、ドレン管１００の先端も目皿１８の上面３４に当接する。これにより、目皿１８の上面３４で配管１２およびドレン管１００が排水口空間以下に下がることが阻止され、これらの先端と排水受け１６の上端との間に排水口空間が設けられて、排水管１４からの排水および臭気などが配管１２およびドレン管１００へ浸入することが防がれる。
【００６０】
また、たとえば、図１９に示すように、図４の目皿１８の上面３４に貫通孔４２だけでなく、別の貫通孔１０２も設けることもできる。この場合、差込部１０４を貫通孔１０２の縁から上方へ立ち上がる短管で形成し、差込部１０４の外径をドレン管１００の内径と同じまたはそれより小さく設定すれば、差込部１０４にドレン管１００が差し込まれる。そして、差込部４４、１０４に差し込まれた配管４２およびドレン管１００は、差込部４４、１０４により固定されるとともに支持されて、これらの低下が目皿１８の上面３４で阻止され、これらの先端と排水受け１６の上端との間に排水口空間が設けられる。
【００６１】
ただし、ドレン管１００のような間接排水を必要としない管であれば、図２０に示すように、差込部１０４を形成せずに貫通孔１０２だけを設けてもよい。この場合、ドレン管１００などは、間接排水用器具１０の中に挿入され、貫通孔１０２で間接排水用器具１０に固定される。
【００６２】
そして、たとえば、図２１に示すように、図５と同様に差込部４６、１０６を貫通孔４２、１０２の縁から下方へ延びる短管で形成することもできる。この場合、差込部４６、１０６は短管状の側面４６ａ、１０６ａおよびその先端が内側へ縮径したリング状の当接面４６ｂ、１０６ｂを有し、側面１０６ａの内径はドレン管１００の外径と同じまたはそれより大きく設定され、当接面１０６ｂの幅はドレン管１００の管壁の肉厚と同じまたはそれより小さく設定される。そして、先端が当接面４６ｂ、１０６ｂに接するまで配管１２およびドレン管１００を差込部４６、１０６に挿入すると、当接面４６ｂ、１０６ｂが配管１２およびドレン管１００を支持してその低下を阻止する阻止手段として働き、配管１２およびドレン管１００の先端と排水受け１６の上端との間に排水口空間が形成される。
【００６３】
ただし、ドレン管１００のような間接排水を必要としない管であれば、当接面１０６ｂを形成しなくてもよい。この場合、ドレン管１００などは、間接排水用器具１０の中に挿入され、その先端と排水受け１６の上端との間に排水口空間は形成されないが、側面１０６ａで間接排水用器具１０に固定される。
【００６４】
さらに、たとえば、図２２に示すように、図８に示す目皿５０のガイド部５２に差込部５８、１０８を形成することができる。この差込部１０８は、円形状の支持部１０８ａと支持部１０８ａに掛け渡される当接部１０８ｂとを含み、支持部１０８ａの内径はドレン管１００の外径と同じまたはそれより大きく設定される。そして、差込部５８、１０８に配管１２およびドレン管１００を挿入すると、これらの管１２、１００は、その先端が当接部５８ｂ、１０８ｂに当接し支持されることにより、排水口空間以下に下がることが阻止されて、これらの先端と排水受け１６の上端との間に排水口空間が設けられる。
【００６５】
ただし、この場合も間接排水を必要としない管であれば、差込部１０８に当接部１０８ｂを形成しなくてもよい。この場合、ドレン管１００などは、間接排水用器具１０の中に挿入され、支持部１０８ａで間接排水用器具１０に固定される。
【００６６】
また、上記全ての実施例では、排水受け１６にトラップを用いたが、排水受け１６は、排水管１４に接続されて排水管１４と連続的に繋がり、排水口からの排水を受けて排水管１４に排出するものであればこれに限定されず、排水受け１６にホッパなどを用いることもできる。また、このため、排水受け１６の上端開口は、排水口からの排水が排水受け１６に流入する流入口であって、排水管１４と連続的に繋がる部分の流入口でもある。
【００６７】
図２３に示すように、ホッパ６４は、目皿１８、５０、６０が装着される上端開口６４ａ、および排水管１４に接続される接続口６４ｂを備え、間接排水用器具１０の下部に配置される。たとえば、図１の目皿１８を上端開口６４ａに装着すると、接続排水受けとしてのホッパ６４および目皿１８で間接排水用器具１０が形成され、目皿１８により間接排水用器具１０の上部に排水口空間が設けられる。
【００６８】
さらに、図８および図２２の間接排水用器具１０では、目皿５０のガイド部５２に差込部５８、１０８を形成したが、差込部５８、１０８を形成しなくてもよい。この場合、支柱５６の横柱部の高さは、排水受け１６の上端から排水口空間を確保する高さに設定され、支柱５６の横柱部が支持部として用いられる。そして、管１２、１００を支柱５６の横柱部に当接させると、管１２、１００は横柱部で支持されて排水口空間以下に下がることが阻止されることにより、管１２、１００の先端と排水受け１６の上端との間に排水口空間が設けられる。
【００６９】
そして、図８および図２２の間接排水用器具１０では、ガイド部５２を目皿５０に設けたが、ガイド部を目皿と別体で形成し、ガイド部を排水受け１６に取り付けることができる。ガイド部を目皿と別体で形成する場合、たとえば、図２４および２５に示すように、間接排水用器具１０は排水受け１６、目皿１１０およびガイド部１１２を有し、目皿１１０は下面５４および第２ねじ部３６を含む。ガイド部１１２は支柱５６および差込部５８を有し、支柱５６は縦柱部５６ａおよび横柱部５６ｂを含む。排水受け１６の上端部には切欠１１４が設けられ、この切欠１１４に縦柱部５６ａの下端が嵌め込まれる。この場合、縦柱部５６ａの下端を切欠１１４に嵌めると、ガイド部１１２が排水受け１６に取り付けられ、排水受け１６の上端から差込部５８の当接部５８ｂまでの高さは、排水口空間を確保するする高さに設定され、当接部５８ｂは支持部として用いられる。また、下面５４は異物浸入防止部として用いられる。そして、当接部５８ｂは、差込部５８に挿入された配管１２を支持し、その先端１２ａが低下するのを阻止する阻止手段として働き、間接排水用器具１０の上部に必要な排水口空間を確保する手段として利用される。
【００７０】
そして、この図２４および２５に示す間接排水用器具１０において、切断または伸縮部材の装着などにより縦柱部５６ａの長さを可変可能にすれば、横柱部５６ｂの高さを調整できるため、排水口空間の確保および配管の取り付け作業をし易くなる。
【００７１】
なお、上述の図において、本来目皿の前面の細孔３２ａ、３４ａを通して目皿の後面が見えるが、分かりやすく示すため、この目皿の後面を省略して示してある。
【図面の簡単な説明】
【００７２】
【図１】この発明の一実施例の間接排水用器具を示す斜視図である。
【図２】図１の間接排水用器具の本体を間接排水とすべき機器のそばに埋設した状態を示す断面図である。
【図３】この発明のさらに別の実施例の間接排水用器具を示す斜視図である。
【図４】図３の間接排水用器具の差込部に配管を差し込んだ状態を示す断面図である。
【図５】この発明のさらに別の実施例の間接排水用器具の差込部に配管を差し込んだ状態を示す断面図である。
【図６】この発明のさらに別の実施例の間接排水用器具を示す斜視図である。
【図７】図６の間接排水用器具の上面に配管の先端を当接した状態を示す断面図である。
【図８】この発明のさらに別の実施例の間接排水用器具を示す斜視図である。
【図９】（Ａ）は図８の間接排水用器具のガイド部側を示す平面図であり、（Ｂ）は（Ａ）の間接排水用器具の差込部に配管の先端を差し込んだ状態を示す断面図である。
【図１０】この発明のさらに別の実施例の間接排水用器具を示す斜視図である。
【図１１】この発明のさらに別の実施例の間接排水用器具を示す斜視図である。
【図１２】図１１の間接排水用器具の下面に配管の先端を当接した状態を示す断面図である。
【図１３】この発明の別の実施例の間接排水用器具を示す断面図である。
【図１４】この発明のさらに別の実施例の間接排水用器具を示す断面図である。
【図１５】この発明のさらに別の実施例の間接排水用器具を示す斜視図である。
【図１６】この発明のさらに別の実施例の間接排水用器具を示す斜視図である。
【図１７】この発明のさらに別の実施例の間接排水用器具を示す斜視図である。
【図１８】この発明のさらに別の実施例の間接排水用器具に、配管およびドレン管を配置した状態を示す断面図である。
【図１９】この発明のさらに別の実施例の間接排水用器具に、配管およびドレン管を配置した状態を示す断面図である。
【図２０】この発明のさらに別の実施例の間接排水用器具に、配管およびドレン管を配置した状態を示す断面図である。
【図２１】この発明のさらに別の実施例の間接排水用器具に、配管およびドレン管を配置した状態を示す断面図である。
【図２２】この発明のさらに別の実施例の間接排水用器具を示す斜視図である。
【図２３】この発明のさらに別の実施例の間接排水用器具を示す断面図である。
【図２４】この発明のさらに別の実施例の間接排水用器具を示す斜視図である。
【図２５】図２４の間接排水用器具に配管を配置した状態を示す断面図である。
【符号の説明】
【００７３】
１０…間接排水用器具
１２…配管
１２ａ…先端
１４…排水管
１６…排水受け
１８、５０、６０、１１０…目皿
２０、６４ａ…上端開口
３０、６４ｂ…接続口
６４…Ｓトラップ
６６…Ｐトラップ
６４…ホッパ
【図１】
2007182749.tif 000003
【図２】
2007182749.tif 000004
【図３】
2007182749.tif 000005
【図４】
2007182749.tif 000006
【図５】
2007182749.tif 000007
【図６】
2007182749.tif 000008
【図７】
2007182749.tif 000009
【図８】
2007182749.tif 000010
【図９】
2007182749.tif 000011
【図１０】
2007182749.tif 000012
【図１１】
2007182749.tif 000013
【図１２】
2007182749.tif 000014
【図１３】
2007182749.tif 000015
【図１４】
2007182749.tif 000016
【図１５】
2007182749.tif 000017
【図１６】
2007182749.tif 000018
【図１７】
2007182749.tif 000019
【図１８】
2007182749.tif 000020
【図１９】
2007182749.tif 000021
【図２０】
2007182749.tif 000022
【図２１】
2007182749.tif 000023
【図２２】
2007182749.tif 000024
【図２３】
2007182749.tif 000025
【図２４】
2007182749.tif 000026
【図２５】
2007182749.tif 000027